(57)【特許請求の範囲】
【請求項１】
取付ベースに立設した支柱に嵌合したブッシュを介在させて積層する主幹バーを保持するプラグインタイプの分電盤の主幹バーの保持用のブッシュであって、前記ブッシュをその中央に透設した断面正方形状の嵌合孔の内面と平行する側部周辺を長辺と短辺をもって形成してなる断面長方形状として、該ブッシュの支柱への嵌合方向を９０°変えることにより主幹バーの横方向の幅に応じて長辺と短辺の取付向きを選択自在とした主幹バーの保持用のブッシュ。
【発明の詳細な説明】
【０００１】
【発明の属する技術分野】
本発明は、プラグイン式の分電盤において主幹バーを保持するために使用する主幹バーの保持用のブッシュに関するものである。
【０００２】
【従来の技術】
プラグインタイプの分電盤は主幹ブレーカの容量に応じて主幹バーのサイズを変更するが、この主幹バーを保持する保持部材のブッシュは主幹バーの変更にかかわらず同じ保持部材を使用することが部品管理が容易なことや安価提供できることから好ましいものである。そこで、従来は図８に示す幅の狭い主幹バー１０１ａであっても図９に示す幅の広い主幹バー１０１ｂであっても、支柱１０２とこれに嵌合したブッシュ１０３をそのまま使用して主幹バーを保持していた。
【０００３】
【発明が解決しようとする課題】
ところが、この従来のものは、幅の広い主幹バー１０１ｂを幅の狭い主幹バー１０１ａを押えているブッシュ１０３により押えると、押える部分が幅方向において相対的に減少して主幹バー１０１ｂの幅方向の水平がとれない場合があり、プラグインブレーカの差込み取付の際にプラグ端子が主幹バーにぶつかり取付作業が面倒であるという問題がある。特に、主幹バーの両側に分岐用のブレーカを配設するタイプのもにあっては、主幹バーの水平が厳密に保たなければ一方側が高く他方側が低くなり問題が大きかった。また、これを回避するため幅の広い主幹バー１０１ｂ用のブッシュを使用すると、幅の狭い主幹バー１０１ａに変更した場合にはブッシュが主幹バー１０１ａの側縁近くまで達するためプラグインブレーカに主幹バーを差込み取付の際にプラグ端子が主幹バーに接続できないという問題がある。
【０００４】
【課題を解決するための手段】
前記のような問題を解決するためになされた本発明の主幹バーの保持用のブッシュは、取付ベースに立設した支柱に嵌合したブッシュを介在させて積層する主幹バーを保持するプラグインタイプの分電盤の主幹バーの保持用のブッシュであって、前記ブッシュをその中央に透設した断面正方形状の嵌合孔の内面と平行する側部周辺を長辺と短辺をもって形成してなる断面長方形状として、該ブッシュの支柱への嵌合方向を９０°変えることにより主幹バーの横方向の幅に応じて長辺と短辺の取付向きを選択自在としたものである。
【０００５】
【発明の実施の形態】
次に、本発明の好ましい実施の形態を示す。１は取付ベース２に立設した支柱であり、該支柱１には３個のブッシュ３がその中央に透設した断面正方形状の嵌合孔３ａをもって嵌合されている。そして、各ブッシュ３には前記支柱１に支柱挿通孔４ａを嵌合してプラグインタイプの分電盤の主幹バー４が積層されている。また、このブッシュ３は前記嵌合孔３ａの内面と平行する側部周辺を長辺Ｎと短辺Ｍをもって形成してなる断面長方形状としたものであり、支柱１への嵌合方向を９０°変えることにより長辺Ｎと短辺Ｍの取付向きを選択自在としたものであり、主幹バー４が図１に示すように横方向の幅の狭いものである場合に短辺Ｍを主幹バー４の横方向の幅とし、主幹バー４が図２に示すように横方向の幅の広いものである場合に長辺Ｎを主幹バー４の横方向の幅とするものである。
【０００６】
また、前記は支柱１の取付ベース２への立設する取付手段は、図４に示すように支柱１の下端周縁に取付ベース２に設けた取付孔２１を挿通可能とした抜け止め用の係止片１１を設けるとともにその上部に取付孔２１の孔縁部の厚さと同間隔をおいて前記取付孔２１に挿通できない押え片１２を設け、係止片１１を取付孔２１に挿通して押え片１２を取付孔２１の孔縁部の上部周面に当接させて、その後に支柱１をもって取付孔内を移動させて、図６に示すように係止片１１と押え片１２との間に取付孔２１の孔縁部を挟持させて取り付けるものである。
【０００７】
このように構成されたものは、取付ベース２に立設した支柱１に３個のブッシュ３をその中央に透設した嵌合孔３ａをもって嵌合するとともに、各ブッシュ３に前記支柱１に支柱挿通孔４ａを嵌合してプラグインタイプの分電盤の主幹バー主幹バー４が積層したうえ上段の主幹バー４を支柱１の上端にネジ止めして取り付けるものである。
【０００８】
本発明の特長とするところは、前記ブッシュ３が嵌合孔３ａの内面と平行する側部周辺を長辺Ｎと短辺Ｍをもって形成してなる断面長方形状としたものであり、支柱１への嵌合方向を９０°変えることにより長辺Ｎと短辺Ｍの取付向きを選択自在としたものである。従って、主幹バー４が図１に示すように横方向の幅の狭いものである場合にブッシュ３の短辺Ｍを主幹バー４の横方向の幅方向として使用すれば、主幹バー４が幅狭のため横方向の水平が保つことができ、また、プラグインブレーカ５を主幹バーを差込み取付の際にプラグ端子の接続用の主幹バー４の差込代が充分に確保できるものである。
【０００９】
また、主幹バー４を図２に示すように横方向の幅の広いものに変更した場合にはブッシュ３の長辺Ｍを主幹バー４の横方向の幅方向として使用すれば主幹バー４の側部に向かう押圧部分が広くとれ幅方向における取付強度が増し、また、主幹バーの横方向の水平も保ち易いものであり、プラグインブレーカ５を主幹バー４に横方向からの差込み取付が的確に行われることとなる。
【００１０】
なお、取付ベース２に立設した支柱１へのブッシュ３の嵌合手段は、図１及び図２に示すものは、ブッシュ３の側部に開口部の無い嵌合孔３ａをもって支柱１の上方から嵌合したものであるが、図５に示すようにブッシュ３の側部に抜け止め部３ｄ付きの開口部３ｂを設けて該開口部３ｂを支柱１の側部に押し付けて拡開させて該支柱１の側部方向から嵌合しても良いものである。また、この実施形態では主幹バー４の幅が狭いものとしたときと広いものとしたときに同じ支柱１としたが、支柱１を主幹バー４の幅が狭いとき使用する専用のものと、主幹バー４の幅が広いときに使用する専用のものを別々に製作したとしてもブッシュ３は共用できるので部品管理が容易なものである。
【００１１】
【発明の効果】
以上説明したように、本発明の主幹バーの保持用のブッシュは、取付ベースに立設した支柱に嵌合したブッシュが、長辺と短辺をもって形成したものであり、該ブッシュが保持する主幹バーの横方向の幅に応じて長辺と短辺の取付向きを選択自在としたものであるから、主幹バーが横方向の幅の狭いものである場合にブッシュの短辺を主幹バーの横方向の幅方向として使用し、主幹バーが横方向の幅の広いものに変更した場合にはブッシュの長辺を主幹バーの横方向の幅方向として使用することができ、主幹バーの主幹バーの横方向の幅が狭くても広くても同一のブッシュにより対応できるものであり、部品管理も容易で安価に提供できるものである。よって、本発明は従来の主幹バーの保持用のブッシュの問題点を解決したもので、業界にもたらす益大なものである。
【図面の簡単な説明】
【図１】本発明の実施形態の要部を示す図であり、（Ａ）は平面図、（Ｂ）は正面図である。
【図２】本発明の実施形態の要部を態様を異にして示す図であり、（Ａ）は平面図、（Ｂ）は正面図である。
【図３】本発明の実施形態に使用するブッシュの示す斜視図である。
【図４】本発明の実施形態に使用する支柱の一取付手段を示す斜視図である。
【図５】本発明の実施形態に使用する他のブッシュの示す図であり、（Ａ）はブッシュの短辺を幅方向とした平面図、（Ｂ）はブッシュの長辺を幅方向とした平面図である。
【図６】本発明の実施形態の支柱、ブッシュ及び主幹バーの関係を示す側面図である。
【図７】本発明の実施形態の使用状態を示す正面図である。
【図８】従来例を示す図であり、（Ａ）は平面図、（Ｂ）は正面図である。
【図９】態様を異にした従来例を示す図であり、（Ａ）は平面図、（Ｂ）は正面図である。
【符号の説明】
１  支柱
２  取付ベース
３  ブッシュ
４  主幹バー
Ｎ  長辺
Ｍ  短辺
【図１】
0004385364.tif 000002
【図２】
0004385364.tif 000003
【図３】
0004385364.tif 000004
【図４】
0004385364.tif 000005
【図５】
0004385364.tif 000006
【図６】
0004385364.tif 000007
【図７】
0004385364.tif 000008
【図８】
0004385364.tif 000009
【図９】
0004385364.tif 000010